【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
開口部と、
被写体から前記開口部を経て入射した入射光を同時に反射する入射ミラーと、
前記入射ミラーで反射した入射光を案内する導光路と、
前記導光路の表面の少なくとも一部に設けたミラー面と、
少なくとも、前記ミラー面で反射することなく前記導光路内を案内される、前記被写体の一部である第１区分と、前記ミラー面で少なくとも１回反射して前記導光路内を案内される、前記被写体の別の一部である第２区分とを重畳した状態で同時に受光する撮像素子と、を有することを特徴とする薄型撮像装置。
【請求項２】
前記導光路は、２つの互いに平行な主面を有する略平板形の外形形状を有する、ことを特徴とする請求項１に記載の薄型撮像装置。
【請求項３】
前記入射ミラーは、前記入射ミラーに入射する光を前記導光路内または前記導光路の射出端近傍の所定の焦点位置に集光する、１つまたは複数のミラーを有する、ことを特徴とする請求項１に記載の薄型撮像装置。
【請求項４】
前記入射ミラーは、短冊状の形状を有する、ことを特徴とする請求項１に記載の薄型撮像装置。
【請求項５】
前記入射ミラーは、前記所定の焦点位置を中心とする円弧状に湾曲した形状を有する、ことを特徴とする請求項３に記載の薄型撮像装置。
【請求項６】
前記入射ミラーを構成する前記複数のミラーは、同一の前記焦点位置を中心とする円弧形状を有する、ことを特徴とする請求項３に記載の薄型撮像装置。
【請求項７】
前記入射ミラーの前記１つまたは複数のミラーは、前記入射ミラーの中心と前記所定の焦点位置とを結ぶ主軸に対して垂直な方向に１列に配列されている、ことを特徴とする請求項３に記載の薄型撮像装置。
【請求項８】
前記入射ミラーは、少なくとも一部が、凹型形状である断面を有し、
前記入射ミラーは、前記凹形状部分により前記被写体からの光を所定の焦点位置に集光する、ことを特徴とする請求項１に記載の薄型撮像装置。
【請求項９】
さらに、入射側レンズが、前記被写体から前記入射ミラーへの光路上の入射ミラー近傍に配されている、ことを特徴とする請求項１に記載の薄型撮像装置。
【請求項１０】
前記入射側レンズは、が所定の曲率の表面を有し、
前記入射側レンズが前記入射ミラーに入射する光を集光する、ことを特徴とする請求項９に記載の薄型撮像装置。
【請求項１１】
前記入射ミラーは、実質的に平面である反射面を有する、ことを特徴とする請求項９に記載の薄型撮像装置。
【請求項１２】
さらに、射出ミラーが、前記導光路の射出端近傍に配され、
前記射出ミラーが、前記射出端より射出される光を反射して前記撮像素子に導光する、ことを特徴とする請求項１に記載の薄型撮像装置。
【請求項１３】
前記撮像素子と前記入射ミラー間の距離は、可変である、ことを特徴とする請求項１に記載の薄型撮像装置。
【請求項１４】
前記撮像素子は、入射光の前記導光路内での進行方向に略平行にスライド可能である、ことを特徴とする請求項１３に記載の薄型撮像装置。
【請求項１５】
前記入射ミラーは、入射光の前記導光路内での進行方向に略平行にスライド可能である、ことを特徴とする請求項１３に記載の薄型撮像装置。
【請求項１６】
さらに、前記入射光に複数の前記視野の光学的画像情報が互いに重畳された状態で含まれている画像情報を、光学的に視野毎の光学的画像情報に分別する手段を有する、ことを特徴とする請求項１に記載の薄型撮像装置。
【請求項１７】
前記分別する手段は、前記撮像素子の前面に配され、
前記分別する手段は、前記撮像素子に入射する前記入射光に含まれる画像情報を、前記撮像素子に対する入射角に基づいて分別する、ことを特徴とする請求項１６に記載の薄型撮像装置。
【請求項１８】
前記分別する手段は、前記撮像素子の前面に前記撮像素子から所定距離だけ隔離してアレイ状に配された複数のシリンドリカルレンズである、ことを特徴とする請求項１７に記載の薄型撮像装置。
【請求項１９】
前記分別する手段は、前記撮像素子を、撮像面と垂直な方向および／または平行な方向に可動とする手段であり、
前記撮像素子の移動による被撮像画像の変化に基づいて前記入射光に複数の前記視野の光学的画像情報が互いに重畳された状態で含まれている画像情報を、視野毎の光学的画像情報に分別する、ことを特徴とする請求項１６に記載の薄型撮像装置。
【請求項２０】
さらに、前記導光路より射出される光を反射して前記撮像素子に結像させる射出ミラーが、前記導光路の射出端近傍に配され、
前記分別する手段は、前記射出ミラーを、前記導光路との距離の方向に可動とする手段であり、
前記射出ミラーの移動による被撮像画像の変化に基づいて前記入射光に複数の前記視野の光学的画像情報が互いに重畳された状態で含まれている画像情報を、視野毎の光学的画像情報に分別する、ことを特徴とする請求項１６に記載の薄型撮像装置。
【請求項２１】
さらに、前記導光路の外側に、前記導光路の屈折率よりも小さい屈折率を有する外部媒体を有し、
前記ミラー面は、前記導光路と前記外部媒体の界面で構成される、ことを特徴とする請求項１に記載の薄型撮像装置。
【請求項２２】
前記導光路は、前記ミラー面を前記開口部近傍に有し、
前記ミラー面は、前記開口部に入射する光が外部から前記開口部に向かって透過可能である、ことを特徴とする請求項１に記載の薄型撮像装置。
【請求項２３】
前記導光路は、前記ミラー面を前記導光路の射出端近傍に有し、
前記ミラー面は、前記導光路から射出される光が外部に向かって透過可能である、ことを特徴とする請求項１に記載の薄型撮像装置。
【請求項２４】
前記ミラー面は、その１つまたは複数の、ミラー面の部分ごとに個別的に反射／非反射が制御可能である、ことを特徴とする請求項１に記載の薄型撮像装置。
【請求項２５】
さらに、前記入射光に複数の前記視野の光学的画像情報が互いに重畳された状態で含まれている画像情報を、視野毎の光学的画像情報に分別する手段を有し、
前記分別する手段は、前記ミラー面の複数の前記ミラー面を構成する部分ごとの個別的な反射／非反射を制御する手段である、ことを特徴とする請求項２４に記載の薄型撮像装置。
【請求項２６】
さらに、前記導光路の外側に、外部媒体を有し、
前記ミラー面は、前記導光路と前記外部媒体の界面で構成され、
前記導光路の絶対屈折率と前記外部媒体の絶対屈折率の大小関係、および／または、それらの絶対屈折率の差を制御することにより、前記ミラー面の反射／非反射を制御する、ことを特徴とする請求項２４に記載の薄型撮像装置。
【請求項２７】
さらに、前記導光路の外側に、液晶を有し、
前記ミラー面は、前記導光路と前記液晶との界面で構成され、
前記液晶の絶対屈折率を制御することにより、前記ミラー面の反射／非反射を制御する、ことを特徴とする請求項２４に記載の薄型撮像装置。
【請求項２８】
前記導光路は、その少なくとも一部に空隙を有する、ことを特徴とする請求項１に記載の薄型撮像装置。
【請求項２９】
請求項１に記載の薄型撮像装置と、
操作者の撮像実行指示を入力することができる操作部と、
前記薄型撮像装置からの画像情報に所定の処理を実行して画像データを生成する画像処理部と、
前記画像データを記憶する記憶部と、
前記薄型撮像装置、前記画像処理部、および、前記記憶部を制御するコントローラを有する、ことを特徴とするカメラ。